(57)【要約】【課題】使用頻度の高い操作キーをスクロール等しなくても操作可能にすると共に複数の操作キーの配列の把握を容易にし、操作キーの操作性の低下させない表示装置を提供することを目的とする。【解決手段】本発明の表示装置は、操作キーの配列を変更せずに、使用頻度の高い操作キーの１つを表示パネルに表示する。使用頻度の高い操作キーがスクロール等されなくても表示されるので、スクロール等されなくても使用頻度の高い操作キーの操作ができる状態となり、また、操作キーの配列を変更しないので、操作キーの配列を把握することが困難になることはない。また、予め関連性の高い操作キーをまとめて配列して操作キーの操作性を高めておくと、操作キーの配列が途中で変更されることがないので、操作性の高い状態が維持される。【選択図】図１
2005037497.tif 000002
【特許請求の範囲】
【請求項１】
所定の形式で配列された複数の操作キーのうち所定の操作キーのみを表示パネルに表示する表示装置において、
上記各操作キーの使用頻度を管理する管理手段と、
上記使用頻度に応じて、上記所定の形式で配列された複数の操作キーのうち上記表示パネルに表示される操作キーを決定する決定手段と、
上記決定手段にて決定された操作キーを上記表示パネルに表示する表示制御手段を備えたことを特徴とする表示装置。
【請求項２】
上記決定手段は、上記表示パネルに表示される操作キーに少なくとも上記使用頻度の最も高い操作キーを含める請求項１に記載の表示装置。
【発明の詳細な説明】
【０００１】
【発明の属する技術分野】
本発明は、表示パネル上の操作キーの表示を制御する表示装置に関する。
【０００２】
【従来の技術】
ファクシミリ、複写機、デジタル複合機等は、ファクシミリ番号、コピー部数、コピーの拡大率等を入力するため、物理的キーを備えるだけでなく、表示パネルに様々な操作キーを表示する。この表示パネルは、画像読取装置の小型化を図るために、サイズの小さいものが用いられる。サイズの小さい表示パネルは、表示量も小さいので、全部の操作キーを一括して表示することができない。このため、表示されていない操作キーを操作する場合、表示をスクロールさせる必要が生じる。
【０００３】
そのスクロールの回数を減らすために、全操作キーうち使用頻度の高い操作キーを表示パネルに表示する画像形成装置が特公平５−２５１１１号公報に記載されている。上記画像形成装置は、各操作キーの使用頻度を管理し、操作キーの配列を各操作キーの使用頻度の高い順にしている。上記画像形成装置は、表示がスクロールされていない状態では、操作キーの配列の先頭部分を表示パネルに表示する。
【０００４】
【特許文献１】
特公平５−２５１１１号公報
【０００５】
【発明が解決しようとする課題】
上記特公平５−２５１１１号公報の画像形成装置は、操作キーの使用頻度に基づいて操作キーを配列する。そのため、操作キーが操作される度に操作キーの配列が変更される可能性がある。操作キーが操作される度に操作キーの配列が変更されると、ユーザは操作キーの配列を把握することが困難となる。そのため、画面をスクロール等させることによって表示パネルに表示されていない操作キーを表示パネルに表示させる場合、ユーザは、スクロールする量に見当を付けることができない。スクロールする量に見当を付けることができないと、表示されていない操作キーを表示パネルに表示させることに手間取る。
【０００６】
また、配列の把握のし易さや操作性の観点から、関連性の高い操作キーがまとまって配列されていることが望ましい。従って、操作キーの配列を、操作キーの関連性と関係なく、使用頻度に基づいて配列すると、配列の把握が困難になるばかりでなく、操作性が低下する。
【０００７】
そこで本発明は、使用頻度の高い操作キーを操作するためにスクロール等する必要性を少なくする共に、配列の把握が容易であり、且つ操作キーの操作性の低下を防止する表示装置を提供することを目的とする。
【０００８】
【課題を解決しようとする手段】
本発明の表示装置は、操作キーの配列が使用頻度に応じて変更されることで、操作キーの配列の把握が困難になったり、操作キーの操作性が低下したりすることを防止するために、操作キーの配列を初期状態から変更しない。
【０００９】
操作キーの配列の変更を行わずに、且つ画面のスクロール等をしなくても使用頻度の高い操作キーを操作可能な状態とするために、本発明の表示装置は、使用頻度の高い操作キーのうちの１つの操作キー、例えば使用頻度の最も高い操作キーを少なくとも表示パネルに表示する操作キーとして決定する。本発明の表示装置は、表示パネルに表示する操作キーとして決定した操作キー、又は当該操作キーとその周辺に配列された操作キーを表示する。
【００１０】
これにより、本発明の表示装置は、操作キーの配列を変更しないで、使用頻度の高い操作キーをスクロール等しなくても操作できる状態となる。よって、操作キーの配列を把握することが困難になることはないので、ユーザは、画面のスクロール等を行うことで表示パネルに表示されていない操作キーを容易に表示パネルに表示することができる。
【００１１】
また、関連性の高い操作キーをまとめて配列して操作キーの操作性を高めておくと、本発明の表示装置においては操作キーの配列が途中で変更されることがないので、操作性の高い状態が維持される。
【００１２】
【発明の実施の形態】
本実施の形態では、図１に示す本発明の表示装置１００がデジタル複合機に実装されている場合について説明する。
【００１３】
デジタル複合機に表示装置１００が実装される場合、例えば図２に示すように、表示装置１００が備える表示パネル１０１には、原稿の複写、原稿の読み取り、ファクシミリでの送信等をデジタル複合機に指示するための複数の操作キーＡａ〜Ｃｚのうちの一部の操作キーと、テンキー１１１、決定キー１１２、スクロールバー１１３等が表示される。
【００１４】
操作キーＡａ〜Ｃｚの操作性を良くするために、上記操作キーＡａ〜Ｃｚの配列は、各操作キーＡａ〜Ｃｚと対応する機能に基づいている。例えば図２に示すように、操作キーＡａ〜Ｃｚは、複写に関する操作キー群Ａ、スキャナに関する操作キー群Ｂ、ファクシミリに関する操作キー群Ｃ毎にまとまって配列されている。
【００１５】
上記複写に関する操作キー群Ａには、例えばコピーの部数の設定をするための操作キーＡａ、コピー倍率の設定をするための操作キーＡｂ、コピー画像の濃淡の設定をするための操作キーＡｃ、解像度の設定をするための操作キーＡｄ、カラー印刷かモノクロ印刷かを選択するための操作キーＡｅ等がある。上記スキャナに関する操作キー群Ｂには、例えば読み取った画像の解像度の設定を行うための操作キーＢａ等がある。ファクシミリに関する操作キー群Ｃには、例えばリダイヤルするための操作キーＣｚ等がある。
【００１６】
操作キーＡａ〜Ｃｚの配列や、操作キーＡａ〜Ｃｚ、テンキー１１０、決定キー１１２、スクロールバー１１３のレイアウトは、表示装置１００が備える記憶手段１０８に記憶されている。
【００１７】
本発明の表示装置１００が備える表示パネル１０１の表示量は小さいため、図２に示すように操作キーＡａ〜Ｃｚのうち４つの操作キーしか表示できない。初期状態では表示されていない操作キーＡｅ〜Ｃｚを表示パネル１０１に表示させる場合、ユーザは、スクロールバー１１３を操作して画面をスクロールさせる。
【００１８】
例えば、スクロールバー１１３が操作されると、表示パネル１０１の表示を制御する表示制御手段１０２は、上記記憶手段１０８に記憶された操作キーＡａ〜Ｃｚの配列を参照する。上記表示制御手段１０２は、例えば、上記記憶手段１０８に記憶された配列において、図２に示すように、現在表示パネル１０１に表示されている操作キーＡｄの次に配列されている操作キーＡｅを取得する。上記表示制御手段１０２は、操作キーＡｂ〜Ａｅを表示パネル１０１に表示する。
【００１９】
ユーザは、コピー部数、倍率、濃淡等の操作キーＡａ〜Ｃｚに対応する設定行う場合、設定したい項目と対応する操作キーＡａ〜Ｃｚを押下する。その後、ユーザは、テンキー１１１等で部数や倍率等の数値を入力したり、または操作キーＡａ〜Ｃｚを押下すると表示パネル１０１に表示される選択肢（図示しない）から１つの選択枝を選択したりする。テンキー１１１で数値を入力したり、選択肢を選択すると、ユーザは、決定キー１１２を押下する。決定キー１１２が押下されると、ユーザにて押下された操作キーＡａ〜Ｃｚ、テンキー１１１又は選択された選択肢等が、上記表示制御手段１０２にて認識される。
【００２０】
上記表示制御手段１０２は、認識した操作キーＡａ〜Ｃｚが複写に関する操作キー群Ａに含まれる場合、認識した操作キーＡａ〜Ａｚとテンキー１１１又は選択肢等を、デジタル複合機における印刷の制御を行う印刷制御手段１０５に通知する。認識した操作キーＡａ〜Ｃｚがスキャナに関する操作キー群Ｂに含まれる場合、認識した操作キーＢａ〜Ｂｚとテンキー１１１又は選択肢等を、デジタル複合機における原稿の読み取りの制御を行うスキャナ制御手段１０６に通知する。また、認識した操作キーＡａ〜Ｃｚがファクシミリに関する操作キー群Ｃに含まれる場合、認識した操作キーＣａ〜Ｃｚとテンキー１１１又は選択肢等を、デジタル複合機におけるファクシミリでの通信の制御を行うファクシミリ制御手段１０７に通知する。
【００２１】
以上のように、上記印刷制御手段１０５、スキャナ制御手段１０６、ファクシミリ制御手段１０７に操作キーＡａ〜Ｃｚとテンキー１１１又は選択肢等が通知されると、ユーザが設定した内容を反映した印刷、原稿の読み取り、ファクシミリでの通信がデジタル複合機にて実行される。
【００２２】
また、上記表示制御手段１０２は、認識した操作キーＡａ〜Ｃｚ、テンキー１１１、選択肢のうち、認識した操作キーＡａ〜Ｃｚのみを管理手段１０４に通知する。
【００２３】
上記管理手段１０４は、上記表示制御手段１０２の過去所定回数分の通知で示された操作キーＡａ〜Ｃｚの種類を記憶する。本実施の形態においては、上記管理手段１０４は、図３に示すように過去１５回分の通知で示された操作キーＡａ〜Ｃｚを記憶する。
【００２４】
上記管理手段１０４が記憶する過去１５回分の通知内容は、表示パネル１０１の初期画面に表示される４つの操作キーＡａ〜Ｃｚを決定する決定手段１０３に用いられる。
【００２５】
上記決定手段１０３は、上記管理手段１０４が記憶する操作キーＡａ〜Ｃｚの種類に基づいて、各操作キーの通知回数を集計する。そして上記管理手段１０３は、最も通知された回数の多い操作キー、例えば、上記管理手段１０４が記憶する内容が図３の場合であれば通知回数が６回の操作キーＡｅを記憶する。
【００２６】
上記表示制御手段１０２は、デジタル複合機の主電源が投入された時などに、上記決定手段１０３に記憶している操作キーの種類を問い合わせる。上記決定手段１０３は、上記表示制御手段１０２から問い合わせがあると、上記で記憶した最も通知された回数の多い操作キーＡｅを上記表示制御手段１０２に通知する。
【００２７】
上記表示制御手段１０２は、全部の操作キーのうち上記決定手段１０３から通知された操作キーＡｅを初期状態で表示する操作キーとして決定する。上記表示制御手段１０２は、上記記憶手段１０８に記憶された操作キーＡａ〜Ｃｚの配列を参照して、例えば操作キーＡｅと当該操作キーＡｅの後に配列された３つの操作キーＡｆ、Ａｇ、Ａｈを初期状態で表示する操作キーとして選択する。上記表示制御手段１０２は、上記記憶手段１０８に記憶されたレイアウトに従って、図４に示すように操作キーＡｅ、Ａｆ、Ａｇ、Ａｈと、テンキー１１１、決定キー１１２、スクロールバー１１３を表示パネル１０１に表示する。
【００２８】
以上のように、本実施の形態においては過去１５回の操作キーＡａ〜Ｃｚの操作において最も使用された回数の多い操作キーＡａ〜Ｃｚが初期状態で表示される。よって、表示装置１００は、ユーザが画面をスクロール等させなくても、操作回数の多い操作キーＡａ〜Ｃｚを操作することができる状態となる。
【００２９】
また、図４に示すように、操作キーＡｅ〜Ａｈが表示されている状態で、表示パネル１０１に表示されていない操作キーを操作したい場合、ユーザはスクロールバー１１３を操作して表示されていない操作キーを表示パネル１０１に表示させることができる。
【００３０】
スクロールバー１１３が操作されると、上記表示制御手段１０２は、上記のように、記憶手段１０８に記憶された操作キーＡａ〜Ｃｚの配列を参照する。例えば、上記記憶手段１０８に記憶された操作キーＡａ〜Ｃｚの配列において、操作キーＡｈの後に配列された操作キーＡｉを取得する。そして、上記表示制御手段１０２は、操作キーＡｆ〜Ａｉを表示パネル１０１に表示する。
【００３１】
上記表示制御手段１０２が参照する上記記憶手段１０８に記憶された配列は変更されることがない。そのため、画面がスクロールされることで表示パネル１０１に表示される操作キーの順番は常に同じである。そのため、ユーザは、操作キーの配列を容易に把握し、スクロールする量に見当をつけることができる。よって、ユーザは、表示パネル１０１に表示されていない操作キーを容易に表示パネル１０１に表示することができる。
【００３２】
また、上記表示制御手段１０２が参照する上記記憶手段１０８に記憶された配列が変更されることがないので、操作キーの操作性が低下することもない。
【００３３】
なお、上記管理手段１０４に通知された回数の最も多い操作キーＡａ〜Ｃｚが複数ある場合、上記決定手段１０３は、例えば最も多い操作キーＡａ〜Ｃｚのうち、最も最近に通知のあった操作キーＡａ〜Ｃｚのみを記憶する。
【００３４】
また、上記実施の形態では、操作キー毎に使用度数を計数したがこれに限られるものではない。例えば、機能毎（操作キー群毎）に計数するようにしてもよい。この場合の使用頻度の高い機能に対応する操作キーは、多くの場合スクロール等しなくても操作できる。また、操作キーの配列は変更されないので、機能の配列順序をユーザが簡単に把握することができる。
【００３５】
また、上記では本発明の表示装置が、デジタル複合機に実装されている場合について説明したが、本発明の表示装置は、デジタル複合機だけでなく、例えば、プリンタ、スキャナ、複写機、ファクシミリ、その他表示パネルに操作キーを表示する装置に実装することができる。
【００３６】
【発明の効果】
本発明の表示装置は、使用頻度の高い操作キーをスクロール等しなくても操作できる状態となると共に、操作キーの配列を変更しないので、ユーザが操作キーの配列を把握し易くなり、画面をスクロール等させることで表示パネルに表示されていない操作キーを表示パネルに表示することが容易となる。また、初期状態の操作キーの配列において、関連性の高い操作キーをまとめて配列して操作キーの操作性を高めておくと、本発明の表示装置においては操作キーの配列が途中で変更されることがないので、操作性の高い状態が維持される。
【図面の簡単な説明】
【図１】表示装置の機能ブロック図である。
【図２】表示パネルの一例を示す図である。
【図３】管理手段にて管理された操作キーの使用頻度を示す図である。
【図４】表示パネルの一例を示す図である。
【符号の説明】
１００  表示装置
１０１  表示パネル
１０２  表示制御手段
１０３  決定手段
１０４  管理手段
【図１】
2005037497.tif 000003
【図２】
2005037497.tif 000004
【図３】
2005037497.tif 000005
【図４】
2005037497.tif 000006